(57)【要約】【課題】本発明は、季節に応じた専用キーの再設定が不要であり操作性を改善したリモコン装置を備えた空気調和機を提供することを課題とする。【解決手段】本発明の空気調和機は、空気吸込口及び空気吹出口を有する筐体と、室内空気と熱交換する熱交換器と、熱交換器の空気吸込口側に配置されたフィルタと、空気吸込口から吸い込み、フィルタを通過後、熱交換器と熱交換した室内空気を、空気吹出口より吹き出す送風ファンと、を有する室内機と、室内機と通信可能なリモコン装置と、を備え、リモコン装置は、運転モードを選択する運転モードキーと、設定温度を選択する温度キーと、設定風速を選択する風速キーと、予め登録された運転モード、設定温度、及び、設定風速の運転条件で運転させる短縮キーと、を有し、短縮キーが選択された場合、短縮キーが選択された時の日付情報に対応する運転条件で運転する。【選択図】図４
2014020660.tif 000002
【特許請求の範囲】
【請求項１】
空気吸込口及び空気吹出口を有する筐体と、
室内空気と熱交換する熱交換器と、
前記熱交換器の前記空気吸込口側に配置されたフィルタと、
前記空気吸込口から吸い込み、前記フィルタを通過後、前記熱交換器と熱交換した室内空気を、前記空気吹出口より吹き出す送風ファンと、
を有する室内機と、
前記室内機と通信可能なリモコン装置と、を備え、
前記リモコン装置は、
運転モードを選択する運転モードキーと、
設定温度を選択する設定温度キーと、
設定風速を選択する設定風速キーと、
予め登録された運転モード、設定温度、及び、設定風速の運転条件で運転させる短縮キーと、を有し、
前記短縮キーが選択された場合、前記短縮キーが選択されたときの日付情報に対応する前記運転条件で運転する空気調和機。
【請求項２】
請求項１において、運転モード、設定温度、及び、設定風速の前記運転条件と、前記運転条件で運転させる前記日付情報と、を予め対応付けて登録する空気調和機。
【請求項３】
請求項１又は２において、前記リモコン装置は、予め登録された前記運転条件を記憶する不揮発性メモリを有する空気調和機。
【請求項４】
請求項１又は２において、前記室内機は、予め登録された前記運転条件を記憶する不揮発性メモリを有する空気調和機。
【請求項５】
請求項４において、前記室内機は、前記リモコンから前記運転情報を要求する信号を受信すると、前記不揮発性メモリに記憶された前記運転情報を前記リモコンに送信する空気調和機。
【請求項６】
請求項１乃至５の何れかにおいて、前記リモコン装置は、前記短縮キーが選択された場合に、前記短縮キーが選択されたときの日付情報に対応する前記運転条件を表示する表示装置を有する空気調和機。
【請求項７】
請求項１乃至６の何れかにおいて、前記リモコン装置は蓋を有し、
前記運転モードキー、前記温度キー、及び、前記風速キーは前記蓋の表面又は前記蓋の内側に配置され、
前記短縮キーは前記蓋の表面に配置される空気調和機。
【請求項８】
請求項１乃至７の何れかにおいて、前記日付情報は月の情報又は月日の情報である空気調和機。
【発明の詳細な説明】
【技術分野】
【０００１】
本発明はリモコン装置を備えた空気調和機に関する。
【背景技術】
【０００２】
空気調和機のリモコン装置には、運転モード、設定温度、設定風速等の基本運転の設定を行うキーの他に、プレフィルタ清掃、エコ運転等の付加機能のキーがある。近年、空気調和機の制御が多様化し、リモコン装置のキー数が増加しており、運転の度にこれら多数のキーを選択して操作するのは面倒である。これに対して、特許文献１は、予め設定された運転条件で空気調和機を運転させる専用キーを有する空気調和機のリモコン装置を開示する。
【先行技術文献】
【特許文献】
【０００３】
【特許文献１】特開平５−２５６５０４号公報
【発明の概要】
【発明が解決しようとする課題】
【０００４】
空気調和機は、夏は冷房モード、冬は暖房モードといったように季節によって運転条件が変わり、リモコン装置についても使用されるキーは季節によって変化する。しかしながら、特許文献１に記載のリモコン装置では、季節が変わる度に専用キーの再設定が必要であり、操作性において課題があった。
【０００５】
本発明は、季節に応じた専用キーの再設定が不要であり、操作性を改善したリモコン装置を備えた空気調和機を提供することを課題とする。
【課題を解決するための手段】
【０００６】
本発明の空気調和機は、空気吸込口及び空気吹出口を有する筐体と、室内空気と熱交換する熱交換器と、熱交換器の空気吸込口側に配置されたフィルタと、空気吸込口から吸い込み、フィルタを通過後、熱交換器と熱交換した室内空気を、空気吹出口より吹き出す送風ファンと、を有する室内機と、室内機と通信可能なリモコン装置と、を備え、リモコン装置は、運転モードを選択する運転モードキーと、設定温度を選択する温度キーと、設定風速を選択する風速キーと、予め登録された運転モード、設定温度、及び、設定風速の運転条件で運転させる短縮キーと、を有し、短縮キーが選択された場合、短縮キーが選択されたときの日付情報に対応する運転条件で運転する。
【発明の効果】
【０００７】
本発明によれば、季節に応じた専用キーの再設定が不要であり、操作性を改善したリモコン装置を備えた空気調和機を提供することができる。
【図面の簡単な説明】
【０００８】
【図１】空気調和機の構成図
【図２】空気調和機の室内機の側断面図
【図３】実施例の処理手順を示す概念図
【図４】実施例の処理手順を示すフローチャート
【図５】実施例の処理手順を示す概念図
【図６】実施例の処理手順を示すフローチャート
【発明を実施するための形態】
【０００９】
以下、本発明の空気調和機の実施例を図面を用いて説明する。
【００１０】
（実施例１）本発明の第１の実施例について図面を用いて説明する。まず、空気調和機の全体構成について図１、図２を用いて説明する。図１は空気調和機の構成図である。図２は空気調和機の室内機の側断面図である。
【００１１】
空気調和機１は、室内機２と室外機７とを接続配管８で接続して構成される。室内機２は、筐体ベース２１の中央部に室内熱交換器３３を配置する。熱交換器３３の下には、熱交換器３３の幅と略等しい長さの横流ファン方式の送風ファン３１１を配置する。また、熱交換器の下方には熱交換器で生じた凝縮水を受ける露受皿３５が配置される。これらを化粧枠２３で覆い、化粧枠２３の前面に前面パネル２５を取り付ける。化粧枠２３には、室内空気を吸い込む空気吸込口２７と、温湿度の調整された空気を吹出す空気吹出口２９とが上下に設けられる。吹出風路２９０途中には、気流を左右方向に偏向する左右風向板２９５を備え、吹出し口２９には、気流を上下方向に偏向する上下風向板２９１を備える。つまり、化粧枠２３の下面に形成される空気吹出口２９は、吹出風路２９０に連通しており、上下風向板２９１及び左右風向板２９５を備える。
【００１２】
送風ファン３１１が回転すると、室内空気が室内機２に設けられた空気吸込口２７から室内熱交換器３３、送風ファン３１１を通って、空気吹出口２９から吹出される。
【００１３】
筐体ベース２１には、送風ファン３１１、エアフィルタ２３１，２３１’、室内熱交換器３３、露受皿３５、上下風向板２９１、左右風向板２９５等の基本的な内部構造体が取り付けられる。これらの基本的な内部構造体は、筐体ベース２１、化粧枠２３、前面パネル２５からなる筐体２０に内包され室内機２を構成する。
【００１４】
前面パネル２５の下部には、運転状況を表示する表示部（図示せず）と、リモコン３からの操作信号を受信する受光部（図示せず）とが配置される。
【００１５】
可動パネル２５１は、下部に設けた回動軸を支点として駆動モータにより回動され、空気調和機１の運転時に前面空気吸込部２３０’を開くように構成される。
【００１６】
このような構成によって、空調される室内空気が流れる主風路を形成する。即ち、送風ファン３１１を運転することで、室内空気は空気吸込口２７から吸い込まれ、エアフィルタ２３１，２３１’を介し、室内熱交換器３３にて熱交換された後、空気吹出口２９から室内に吹出される。
次に、図３を用いて本実施例の概要を説明する。図３は本実施例の処理手順を示す概念図である。短縮キー４と通常キー５を例に挙げて説明する。通常キー５を押下した場合は、キーに割り付けられている所定の動作（風速切換、タイマ設定等）を行う。一方、短縮キー４を押下した場合は、あらかじめ設定した運転条件で空気調和機を運転し、さらに季節に応じて短縮キー４を押下した場合の出力を自動的に切換える。
図４を用いて本実施例の詳細を説明する。図４は本実施例に関する制御方式の処理手順を示すフローチャートである。設定可能な運転モードが暖房、冷房、除湿、送風の４モードであるリモコンを例に挙げて説明する。
まず、ステップＳ１で操作キー入力の有無を検出する。操作キー入力有りの場合はステップＳ２に進み、操作キーの二重押し又は操作キーの長押しによる短縮キー設定操作の有無を検出する。ステップＳ１で、操作キー入力が無かった場合は、操作キー入力の検出を繰り返す。
ステップＳ２で、短縮キー設定操作有りの場合は、ステップＳ３からステップＳ５で操作キー入力により、暖房、冷房、除湿、送風の各運転モードの運転条件を設定する。まず、ステップＳ３で暖房、冷房、除湿、送風の何れかの運転モードを操作キー入力で選択する。続いて、ステップＳ４で室温キー、風速キー等を操作し、基本運転条件を設定する。そして、ステップＳ５でエコ運転キー、イオンミストキー等を操作し、付加機能条件を設定する。ステップＳ６において、全運転モードの設定が完了したかどうかを判定し、完了していない場合はステップＳ３に戻る。完了した場合は、ステップＳ７において、各運転条件を適用する期間を月で設定する。次に、ステップＳ１６ではステップＳ３〜ステップＳ５で選択した各運転条件とステップＳ７で選択した適用期間の設定をリモコンに搭載した不揮発性メモリに記憶させる。リモコンに搭載した不揮発性メモリに記憶させることで、電池交換等で電源が遮断されてもこれらの設定を保持することができ、各運転条件と適用期間の再設定の必要が無くなる。
ステップＳ２で短縮キー設定操作が無かった場合は、ステップＳ８へ進み、短縮キーか否かを判定する。短縮キーであった場合は、ステップＳ９に進み、ステップ７で設定した内容と、短縮キーが選択された時のリモコンの日付情報（月情報）に応じて短縮キーの運転条件を自動的に選択する。例えば、１月から３月は暖房、４月は送風、５月と６月は除湿、７月から９月は冷房、１０月は送風、１１月と１２月は暖房と設定しており、現在のリモコンの月情報が８月であった場合は冷房が選択される。次に、ステップＳ１５では現在選択されている運転条件をリモコン装置が備える表示装置（ＬＣＤ）に表示する。リモコンの表示装置に表示することで、短縮キーで選択された運転条件が不明な場合であっても一目で運転条件が確認できるので使い勝手が良い。続いて、ステップ１０では、自動選択した運転条件の制御情報を設定し、ステップＳ１２に進む。
ステップＳ８において短縮キーでなかった場合は、ステップＳ１１において、入力されたキーに応じた所定の制御情報をセットし、ステップＳ１２へ進む。ステップＳ１２では、ステップＳ１０またはステップＳ１１でセットされた情報を赤外線信号に変換し、空気調和機１に向けてワイヤレス信号を送信する。
このように、短縮キー押下時の運転条件をあらかじめ運転モード毎に設定しておき、月に応じてこの運転条件の自動選択を行い、短縮キー押下時の出力を切換えることで、同じキーを操作するだけでよくなり、季節が変わっても余計なキー操作が不要となるため、リモコンの操作性が改善される。
尚、本実施例おいては、ステップＳ７及びステップＳ９において、短縮キーで選択された運転情報を適用する期間（日付情報）を月により設定したが、月日情報で設定することも可能である。期間を月と日にちで設定することにより、より細かい設定が可能となり、様々な使用環境に対応することができる。
【００１７】
また、図３に示すように、リモコン装置は蓋を備え、運転モードキー、温度キー、風速キー等の通常キーやエコ運転キー、イオンミストキー等を蓋の表面及び蓋の内側に配置する。一方、短縮キーについては蓋の表面に配置する。使用頻度の高い短縮キーを蓋の表面に配置することにより、リモコンの操作性が向上する。
【００１８】
尚、本実施例ではリモコン装置としてワイヤレスリモコンを用いたが、空気調和機と通信線で接続されたワイヤードリモコンを用いてもよい。
【００１９】
（実施例２）本発明の第２の実施例について図面を用いて説明する。図５は本実施例の処理手順を示す概念図であり、図６は本実施例の処理手順を示すフローチャートである。本実施例においては、リモコンに不揮発性メモリを搭載せずに、空気調和機（室内機）に不揮発性メモリを搭載する。室内機に不揮発性メモリを搭載するので、リモコンの電源が遮断されても短縮キー設定を復元することができる。
まず、図５を用いて本実施例の処理手順の概要を説明する。空気調和機１に不揮発性メモリを搭載し、短縮キーの設定情報をこの不揮発性メモリに記憶する。リモコン３は、設定情報要求キー６又は運転条件未設定時の短縮キー４を押下したときに、短縮キー設定情報要求信号を空気調和機に送信する。短縮キー設定情報要求信号を受信した空気調和機１は、短縮キー設定情報をリモコン３に送信し、短縮キー設定情報を受信したリモコン３はその情報を取り込む。
次に、図６を用いて実施例の処理手順の詳細を説明する。ステップＳ１７でリモコン信号を検出する。リモコン信号を受信した場合はステップＳ１８に進む。ステップＳ１８ではリモコン信号を判定する。リモコン信号が短縮キー設定情報要求信号である場合はステップＳ１９に進む。ステップ１９で空気調和機に搭載した不揮発性メモリに記憶している現在の短縮キー設定情報を赤外線信号に変換し、ステップ２０においてその赤外線信号をリモコンに対して送信する。ステップ１８において短縮キー設定情報要求信号でなかった場合はステップＳ２１に進み、短縮キーか否かを判定する。短縮キーであった場合は、ステップ２２で現在の短縮キー設定を空気調和機の不揮発性メモリに記憶し、ステップ２３に進む。ステップＳ２１において、短縮キー信号でなかった場合は、ステップＳ２３に進む。ステップＳ２３ではキー信号に応じた制御出力を行い終了する。
リモコン側では、空気調和機側のステップ２０において送信されたワイヤレス信号の受信をステップ２４で監視する。ワイヤレス信号を受信した場合は、ステップＳ２５に進み、短縮キーの設定情報をリモコンに取り込み終了する。空気調和機と組み合わせて動作させることにより、リモコンに不揮発性メモリを搭載しないで、リモコンの電源遮断後、短縮キーの設定を復元することができる。
【符号の説明】
【００２０】
１…空気調和機、２…室内機、３…リモコン、４…短縮キー、５…通常キー、６…設定情報要求キー、７…室外機、８…接続配管、２０…筐体、２１…筐体ベース、２３…化粧枠、２５…前面パネル、２７…空気吸込口、２９…空気吹出口、３３…室内熱交換器、３５…露受皿、２３０，２３０’…空気吸込み部、２３１，２３１’…エアフィルタ、２５１…可動パネル、２９０…吹出風路、２９１…上下風向板、２９５…左右風向板、３１１…送風ファン
【図１】
2014020660.tif 000003
【図２】
2014020660.tif 000004
【図３】
2014020660.tif 000005
【図４】
2014020660.tif 000006
【図５】
2014020660.tif 000007
【図６】
2014020660.tif 000008